(57)【要約】【課題】  二種類の内容物を振り出すと、その二種類の内容物が混じり合いながら小出しできる容器を提供する。【解決手段】  二室に一体成型された容器の口部を、一対の二口形状に形成することにより、内容物を二種類に分類収納することが可能で、その口部には、振り出しを分けさせる中栓を冠着する。その振り出し量は、二室の内容物の使用量や性質等に応じて、小出しできる面積と数の孔が天面に開口されている。又、その中栓は、ネジキャップと二室の口部の間に挟まれるようにネジキャップの螺働圧で冠密着状態になり、両室を密封している。このように、二室の口部が一対に形成されているので、必然的に二種類の内容物が混じり合いながら振り出せる小出し容器に関する。【選択図】    図１
2005320058.tif 000002
【特許請求の範囲】
【請求項１】
二種類小出し容器１の本体容器１０は、口部１１を一対の二口形状１２、１３で形成し、その一対の口部に通孔する二室１４、１５は、仕切る壁１６を形成する構造で一体に成型する。その本体容器の二室に隔離した室は、必要に応じて大小に設定し、その両開口部は同位置の上部に一対に形成して、その上部に小出し振り出しのための中栓１７を冠密着する。さらに、それを密閉する気密性維持等のネジキャップ１８を設置している。その振り出しの量の調整のため、二室の大小及び内容物の性質等の必要性に応じて、中栓部の開口面積１７を設定する。このように二種類の内容物を分類収納することが可能で、小出し時に二種類の内容物を混ぜながら振り出す事が出来ることを特徴とする異種類小出し容器。
【請求項２】
小出し容器２は大２１と小２２を別々に成型して、その成型品を凹部２３、凸部２４で凹凸嵌合する一対の二室の容器で形成する上記請求項１に記載する二種類小出し容器。
【発明の詳細な説明】
【技術分野】
【０００１】本発明は、二種類の内容物を互いに必要とする量に設定して、同時に最後まで別々に小出しできる振り出し容器の構造による方法の手段に関する。【０００２】その二種類の内容物は、別室に充填されているので互いの性質を維持密封され、使用する時に初めて混じり合うので互いに新鮮な状態で振り出される。
【背景技術】
【０００３】従来の二種類の内容物の振り出し容器は、すでに容器内に二種混合状態で充填されていて、その混合の比率を使用しえる状態で容器内に充填してあるが、比重の関係や、粉体及び顆粒状などサイズが揃わない物などは、混ぜ合わせ状態が均一にならず、二種類の内容物の小出し状態が不均一であった。【０００４】よって、均一に小出しさせるために、容器を振って再度混ぜ合わせる面倒な作業が必要であるが、それでも不均一の振り出し状態である。【０００５】又、二種類の内容物を混合して使用すると効力を発揮する性質のもの、特に二液性の内容物は、一室での混合状態では硬化が急速に促進した化学変化等が起こり、商品化は不可能であった。
【発明の開示】
【発明が解決しようとする課題】
【０００６】本発明は上記の問題点を解決するためになされたものであり、その目的とすることは、二種類の内容物を混合状態にしないで別々の室に充填し、互いに変化が起きない状態に収納できる容器を提供する。【０００７】さらに、その小出し状態は、二種類の内容物が振り出し時に初めて混じり、混じり合う時に効力を発揮しえる方法で、その混じり合う量を常に均一に出来る方法を提供する。
【課題を解決するための手段】
【０００８】充填される容器の形態は、口部が一対の二口形状で、各口部に貫通する別々の室を形成している。そこに一種類ずつの内容物を別々に充填する。使用時に容器を開口して、内容物を振り出す時、口部が一対に形成されているので、出始めると同時に二種類の内容物が混じり合いながら振り出す状態になる。【０００９】その二室の容積のサイズ及び振り出し孔は、均一の量を振り出すために二種類の内容物の性質や必要に応じて容積の大小を設定し、それに準じて振り出し孔も面積及び孔数を設定する。【００１０】二室への充填物は液体、粉体、顆粒、又は、液体と粉体など異質の組み合わせでも良く、その口元は内容物にあった形状を形成することが好ましい。例えば、粉体や顆粒の場合は、開口部の天面がフラットで数個の開口孔が振り出し口となり、液体は液切れを考慮するラッパ状の開口孔が好ましい。
【発明の効果】
【００１１】本発明は、二種類の内容物を一対に形成している二室に別々に充填し、互いに混じることなく収納できる容器で、その両室の開口部に貫通している口部も一対であるが、互いに混じることなく冠密閉されている。【００１２】さらに、その小出し状態は、二種類の内容物が振り出し時に初めて混じり、混じり合う時に効力を発揮しえる方法で、その混じり合う量は常に均一である。
【発明を実施するための最良の形態】
【００１３】以下、本発明の実施形態を図面に従って詳細に説明する。【００１４】図１は本発明の第１の実施形態の二種類小出し容器の全断面の正面図、（ａ）は、ａ−ａ平面断面図、（ｂ）は、ｂ−ｂ平面断面図。【００１５】図２は本発明の小出し容器の組み立て図で、（ｃ）は、キャップ部の正面図、（ｄ）は、中栓の平面図、（ｅ）は、中栓正面図、（ｆ）は、小出し容器本体の平面図、（ｇ）は、小出し容器本体の正面図。【００１６】図３は本発明の第２の実施例で一部正面図の正面断面図、（ｈ）は、小出し容器本体の平面図、（ｉ）は、小出し容器本体の正面図。【００１７】小出し容器１は、内容物を充填される容器本体１０の口部１１に、一対の二口形状で１２と１３の二口の開口部を有する。その各口部に貫通する１４と１５の別々の室を形成している。その形成方法は、仕切りになる１６を形成する構造で一体に成型する。そこに一種類ずつの内容物を別々に充填して、一対に形成している口部１１に中栓１７を嵌合する。それらを密閉するネジキャップ１８を締めこむと、その中栓１７は容器本体１０に挟む状態になり、完全に二口部１２と１３が密封される。よって、互いに二種類の内容物が混じることなく保存収納される。【００１８】二種二室のサイズは、二種類の内容物が混じり合った時に理想の配合に合わせて決定する。【００１９】又、中栓１７の振り出し孔１７−１と１７−２も、二種類の内容物が混じる量とその性質により、理想の孔サイズ及び数を設定する。その中栓１７の二室の口部１１と振り出し孔１７−１と１７−２の位置合わせは、本体容器１０の凸部１９と中栓の内側の凹部２０の凹凸嵌合で位置合わせをする。【００２０】小出しする時は、容器本体１０に嵌合しているネジキャップ１８を容器本体１０から取り外し開口すると、中栓１７から内容物を振り出すことができる。その中栓１７は、容器本体の二室の口部１１と一対に形成している部分に係合しているので、振り出し操作で内容物が出始めると同時に、二種類の内容物が混じりながら小出し状態になる。【００２１】実施例２は、本体容器の大２１と小２２を別々に成型して、その合わせ部分を２３凹部と２４凸部の凹凸形成してはめ込こみ、実施例１と同等の中栓１７で固定嵌合する。本体容器の作成方法の違いの例である。
【図面の簡単な説明】
【００２２】
【図１】本発明の第１の実施形態の二種類小出し容器の全断面の正面図、（ａ）は、ａ−ａ平面断面図、（ｂ）は、ｂ−ｂ平面断面図である。
【図２】本発明の小出し容器の組み立て図で（ｃ）はキャップ部の正面図、（ｄ）は中栓の平面図、（ｅ）は、中栓正面図、（ｆ）は、小出し容器本体の平面図、（ｇ）は、小出し容器本体の正面図である。
【図３】本発明の第２の実施形態の一部正面図の正面断面図、（ｈ）は、小出し容器本体の平面図、（ｉ）は、小出し容器本体の正面図である。
【符号の説明】
【００２３】１        小出し容器第一実施形態
１０      容器本体
１１      一対形成した口部
１２      口部
１３      口部
１４      容器本体一室部
１５      容器本体二室部
１６      仕切り
１７      中栓
１７−１  中栓孔
１７−２  中栓孔
１８      ネジキャップ
１９      容器本体口部位置合わせ凸部
２０      容器本体口部に位置合わせる中栓凹部
２        小出し容器第二実施形態
２１      容器本体第一室
２２      容器本体第二室
２３      容器本体第一室凹部
２４      容器本体第二室凸部
【図１】
2005320058.tif 000003
【図２】
2005320058.tif 000004
【図３】
2005320058.tif 000005